(57)【特許請求の範囲】
【請求項１】
４隅に柱部分に相当する欠除部を形成したスラブ上面の四辺に、逆梁構築用の梁スターラップ筋を植設して構成する逆梁用ハーフＰＣスラブ。
【請求項２】
柱部分に相当する４隅を欠除したスラブ型枠を設定し、該スラブ型枠上面の柱部分に相当する４隅を除く４辺に、コンクリート被りに相当する間隔を保って逆梁構築用の梁スターラップ筋及び梁下端主筋を配置し、しかる後にＰＣコンクリートを打設することを特徴とする請求項１に記載の逆梁用ハーフＰＣスラブの製造方法。
【請求項３】
柱・壁を型枠組、ＰＣ工法等で構築してから、逆梁用ハーフＰＣスラブを支保工で支持して柱・壁間に載積し、梁上端主筋等の所望の梁配筋を施してから、梁側型枠を設定して逆梁コンクリートを打設することを特徴とする請求項１に記載の逆梁用ハーフＰＣスラブを用いる逆梁躯体の施工法。
【発明の詳細な説明】
【０００１】
【発明の属する技術分野】
本発明は、逆梁用ハーフＰＣスラブ及びその製造方法並びに前記逆梁用ハーフＰＣスラブを用いた逆梁躯体の施工法に関する。
【０００２】
【従来の技術】
逆梁工法は、集合住宅において床下に新しい収納空間を確保することが出来る工法として期待されている。
しかしながら、逆梁工法は従来の柱・梁ラーメン構造と異なって、大梁の下端にスラブが位置されるために、以下のような問題点があった。
即ち、従来の柱・梁ラーメン構造は、柱→（壁）→梁→床の順序で構築されるところから、重力に逆らわずに鉄筋組、型枠支保工組立、コンクリート打設等の施工を実施でき、コンクリートの打設も１回で済んでいた。
しかし、逆梁工法では、施工する順序が柱→（壁）→床→梁と床先行作業・梁後行作業になって重力の方向と逆になっており、梁下の型枠支保工の組み立て作業では、梁の位置が床型枠で見えなくなるために、梁位置を確かめながら作業を進めなければならない。又、梁コンクリートを、柱・壁・床のコンクリート打設と同時に打ち込むには多くの課題があった。
【０００３】
【発明が解決しようとする課題】
本発明は、逆梁工法における床の製造にハーフＰＣ工法を適用し、逆梁躯体の施工にサイトプレハブ工法を適用することによって、工期の短縮、工事現場での省力化、躯体品質の安定化と工事安全性の向上を図り、逆梁工法の有している新しい空間の確保を確実に実施できる工法の提供を目的にしている。
【０００４】
【課題を解決するための手段】
第１の発明による逆梁用ハーフＰＣスラブは、４隅に柱部分に相当する欠除部を形成したスラブ上面の４辺に、逆梁構築用の梁スターラップ筋を植設して構成し、工期短縮、工事現場での省力化及び躯体品質の安定化を図っている。
【０００５】
第２の発明による逆梁用ハーフＰＣスラブの製造方法は、柱部分に相当する４隅を欠除したスラブ型枠を設定し、スラブ型枠上面の柱部分に相当する４隅を除く４辺に、コンクリート被りに相当する間隔を保って逆梁構築用の梁スターラップ筋及び梁下端主筋を配置し、しかる後にＰＣコンクリートを打設することを特徴としており、サイトプレハブを可能にしてリードタイムの短縮と工程の安定化を図っている。
【０００６】
第３の発明による逆梁用ハーフＰＣスラブを用いる逆梁躯体の施工法は、柱・壁を型枠組、ＰＣ工法等で構築してから、逆梁用ハーフＰＣスラブを支保工で支持して柱・壁間に載積し、梁上端主筋等の所望の梁配筋を施してから、梁側型枠を設定して逆梁コンクリートを打設することを特徴としており、工事現場での繰り返し作業の採用による省力化と作業職種の削減、躯体品質の安定化及び工事安全性の向上を可能にしている。
【０００７】
【発明の実施の形態】
以下に、本発明の実施の形態について、図面に基づいて説明する。
図１は、本発明による逆梁用ハーフＰＣスラブの斜視図を示している。
図において、逆梁用ハーフＰＣスラブ１は、所定の厚さを有し４隅に柱に対応させた切除部２を形成している。切除部２の端部からは、逆梁用ハーフＰＣスラブの中に梁スターラップと共に埋設された、梁下端主筋９の接合用端部が露出している。
切除部２の形状は、工事現場において逆梁用ハーフＰＣスラブ１を、型枠組もしくはＰＣ工法等で構築した柱に載積させる際に、必要になる載置幅を残した寸法関係にしてある。
逆梁用ハーフＰＣスラブ１の表面には、上記切除部を除いた４辺に躯体工事の際に梁を形成するために必要な梁スターラップ３を植設してある。
従って、逆梁用ハーフＰＣスラブ１の外観は、周辺に梁スターラップで形成した手すりを設けたデッキ状になっている。
又、梁スターラップ３には、逆梁用ハーフＰＣスラブ１を工事現場に搬入して柱に積載する前に図示のように予め梁上端主筋１０を内蔵させて置くことで、現場工事の効率向上を図るようにしている。
【０００８】
図２〜５は、上記逆梁用ハーフＰＣスラブを製造するための工程図を示している。本実施の形態では、サイトプレハブ効果を有効に生かすために、逆梁用ハーフＰＣスラブの製造は積層して製造できるようにしている。
図２は、第２段の逆梁用ハーフＰＣスラブを製造するための準備段階を示している。
ＰＣパレット４の上には、既に完成された第１段の逆梁用ハーフＰＣスラブ１が置いてある。ＰＣパレット４と逆梁用ハーフＰＣスラブ１との間には、底面型枠５が介在されており、逆梁用ハーフＰＣスラブ１を揚重する際に逆梁用ハーフＰＣスラブ１が底面型枠から容易に乖離できるようにしてある。
【０００９】
図３は、第２段の逆梁用ハーフＰＣスラブを製造するために底面型枠を設定する段階を示している。
図示のように、第１段の底面型枠５の上に複数の支保工６を組み立てて置き、その上に第２段の逆梁用ハーフＰＣスラブ１’用の底面型枠５を設定する。
【００１０】
図４は、第２段の逆梁用ハーフＰＣスラブを製造するために梁スターラップを設定する段階を示している。
図示のように、第２段の底面型枠５の上に第２段の逆梁用ハーフＰＣスラブ１’用の梁スターラップ３を設定する。梁スターラップ３の配置は、柱の位置を避けて逆梁用ハーフＰＣスラブの４辺に該当する位置に、スラブコンクリートの被り厚を十分に確保するだけの間隙を保って設置される。この際に、梁下端主筋を梁スターラップ３の中に予め挿入して位置決めをしておく。梁下端主筋の長さは、以下に述べる逆梁用ハーフＰＣスラブ１’にコンクリートを打設する際に柱に相当する４隅の切除部からその端部が露出するように設定している。
【００１１】
図５は、第２段の逆梁用ハーフＰＣスラブが完成した状態を示している。
上記梁スターラップの設定後に、底面型枠５の上に所定の配置で逆梁用ハーフＰＣスラブ用の型枠を設置し、所定の厚さにスラブコンクリート７を打設する。
次いで、決められた養生後に上記型枠を撤去して、図示のように第２段の逆梁用ハーフＰＣスラブ１’の製造を完了する。
【００１２】
以上のように、本発明による逆梁用ハーフＰＣスラブの製造は、工事現場近傍の狭い敷地でも積層させながら繰り返して実施できるものであり、完成後の移動も滑車をつけた分配ビームのような揚重設備を使用することで、クレーンを使って積層上部の逆梁用ハーフＰＣスラブから順次簡単に行えるから、リードタイムの短縮と工程の安定化が図れる。
【００１３】
次に、逆梁用ハーフＰＣスラブの建て込みについて説明する。
図６は、各柱８の間に４枚の逆梁用ハーフＰＣスラブ１を配置施工する平面図である。
躯体工事は、先ず柱・壁の構築から実施する。柱・壁の構築は、１）従来からの、柱・壁の鉄筋組と型枠組、２）柱・壁の鉄筋組と型枠組及び柱・梁のコンクリート打ち込み、３）ＰＣ柱・ＰＣ壁の建て込み及び４）ＰＣ柱・壁の鉄筋組と型枠組等から、現場の状況に合わせて随意に選択して実施される。
逆梁用ハーフＰＣスラブ１の構築は、以上の経過から、逆梁用ハーフＰＣスラブ１を、図示されていないが下階に支持する支保工と、構築してある柱・壁のＰＣもしくは型枠の上に載積させて架設される。
逆梁用ハーフＰＣスラブ１の梁スターラップ３には、クレーンで揚重される前に梁スターラップ３に梁上端主筋１０を内蔵して在るので、梁主筋の施工は、上端主筋はこれを引き出して互いに接合し、梁下端主筋９の接合は上述したように逆梁用ハーフＰＣスラブに予め埋設してある梁下端主筋９の端部に添え筋等を用いて互いに接合して行く。
【００１４】
図７〜９は、逆梁の施工状態を詳細に示しており、図７は、合わせ梁の状態を示す部分断面図である。
互いに接合して合わせ梁を構成する逆梁用ハーフＰＣスラブ１、１は、その各周辺端部に梁スターラップ３及び梁下端主筋９が埋設してあり、梁上端主筋１０は予め内蔵してあるので、各主筋を通常の施工法で溶接接合して一体化を図る。
この際に、合わせ梁の一体化をより強固にするためには、補強配筋１１を後工程で付加することも考慮される。
配筋の終了後は、梁側型枠１２をセパレータ１３等を用いる通常の施工法で組み立て、しかる後に逆梁コンクリート１４を打設して逆梁の施工を完了する。
【００１５】
図８は、柱・梁の配筋状態を示す側面図、図９は、同平面図である。
図において、柱８は、柱主筋１５、柱フープ筋１６で配筋され、柱コンクリートを打設するための柱型枠１７で構成されている。
逆梁用ハーフＰＣスラブ１、１は、図示のように柱型枠１７の上に積載されている。これに埋設されている梁下端主筋９は、梁スターラップ３に内蔵されている梁上端主筋１０と共に、逆梁用ハーフＰＣスラブ間で相互に接合されて一本化している。
合わせ梁を構成している梁スターラップ３、３には、一体化の強度を高めるために補強配筋１１を配置している。
【００１６】
従って、逆梁用ハーフＰＣスラブの建て込みと逆梁躯体の施工は、工事現場での繰り返し作業の採用を可能にしているから、工事の省力化と作業職種の削減、躯体品質の安定化及び工事安全性の向上を図ることができる。
【００１７】
以上、本発明を実施の形態に基づいて詳細に説明してきたが、本発明による逆梁用ハーフＰＣスラブは、４隅に柱部分に相当する欠除部を形成したスラブ上面の４辺に、逆梁構築用の梁スターラップ筋を植設して構成しており、これを用いる逆梁躯体の施工法は、柱・壁を型枠組、ＰＣ工法等で構築してから、逆梁用ハーフＰＣスラブを支保工で支持して柱・壁間に載積し、梁上端主筋等の所望の梁配筋を施してから、梁側型枠を設定して逆梁コンクリートを打設することを特徴にして、逆梁用ハーフＰＣスラブのプレハブ化とサイトプレハブの採用による工期短縮、省力化、躯体品質の安定化及び工事における安全性の向上を達成しているものであるから、本発明は上記実施の形態に何ら限定されるものでなく、本発明の上記の趣旨を逸脱しない範囲において種々の変更が可能であることは当然である。
【００１８】
【発明の効果】
本発明による逆梁用ハーフＰＣスラブ及びそれを用いた逆梁躯体の施工法は、以下に示す個々の効果を発揮することで、総合的に、従来工法では提供できなかった逆梁による空間を低コスト、短工期で提供できるようにして、住宅における住空間を多様化し、居住者のニーズに的確に応える効果を奏している。
第１の発明による逆梁用ハーフＰＣスラブは、４隅に柱部分に相当する欠除部を形成したスラブ上面の４辺に、逆梁構築用の梁スターラップ筋を植設して構成しているので、工期短縮、工事現場での省力化及び躯体品質の安定化を図る具体的な効果を発揮している。
【００１９】
第２の発明による逆梁用ハーフＰＣスラブの製造方法は、柱部分に相当する４隅を欠除したスラブ型枠を設定し、スラブ型枠上面の柱部分に相当する４隅を除く４辺に、コンクリート被りに相当する間隔を保って逆梁構築用の梁スターラップ筋及び梁下端主筋を配置し、しかる後にＰＣコンクリートを打設することを特徴としているので、サイトプレハブを可能にしてリードタイムの短縮と工程の安定化を図る具体的な効果を発揮している。
【００２０】
第３の発明による逆梁用ハーフＰＣスラブを用いる逆梁躯体の施工法は、  柱・壁を型枠組、ＰＣ工法等で構築してから、逆梁用ハーフＰＣスラブを支保工で支持して柱・壁間に載積し、梁上端主筋等の所望の梁配筋を施してから、梁側型枠を設定して逆梁コンクリートを打設することを特徴としているので、工事現場での繰り返し作業の採用による省力化と作業職種の削減、躯体品質の安定化及び工事安全性の向上を可能にする効果を発揮している。
【図面の簡単な説明】
【図１】本発明による逆梁用ハーフＰＣスラブの斜視図
【図２】第２段の逆梁用ハーフＰＣスラブを製造する準備段階図
【図３】第２段の逆梁用ハーフＰＣスラブを製造する底面型枠の設定段階図
【図４】第２段の逆梁用ハーフＰＣスラブを製造する梁スターラップの設定段階図
【図５】第２段の逆梁用ハーフＰＣスラブ完成図
【図６】柱間に逆梁用ハーフＰＣスラブを配置する平面図
【図７】逆梁用ハーフＰＣスラブにおける合わせ梁の状態を示す部分断面図
【図８】逆梁用ハーフＰＣスラブにおける柱・梁の配筋状態を示す側面図
【図９】逆梁用ハーフＰＣスラブにおける柱・梁の配筋状態を示す平面図
【符号の説明】
１、１’  逆梁用ハーフＰＣスラブ
２  柱用の切除部
３  梁スターラップ
４  ＰＣパレット
５  底面型枠
６  底面型枠の支保工
７  スラブコンクリート
８  柱
９  梁下端主筋
１０  梁上端主筋
１１  補強配筋
１２  梁側型枠
１３  セパレータ
１４  逆梁コンクリート
１５  柱主筋
１６  柱フープ筋
１７  柱型枠
【図１】
0003622548.tif 000002
【図２】
0003622548.tif 000003
【図３】
0003622548.tif 000004
【図４】
0003622548.tif 000005
【図５】
0003622548.tif 000006
【図６】
0003622548.tif 000007
【図７】
0003622548.tif 000008
【図８】
0003622548.tif 000009
【図９】
0003622548.tif 000010